(57)【要約】【課題】衣類の脱臭に加えて衣類の乾燥を可能とすることにより、ユーザの利便性が向上し得る衣類処理装置を提供する。【解決手段】衣類脱臭装置は、衣類が収容される袋体と、オゾン発生器６１０と送風ファン７００とを含み、オゾン発生器６１０が発生させたオゾンを送風ファン７００が発生させた風に載せて袋体に送り込むオゾン供給装置２０と、を備える。オゾン供給装置２０は、さらに加熱器６２０を含み、送風ファン７００が発生させた風を加熱器６２０で加熱して袋体に送り込む。【選択図】図７
2018057413.tif 000002
【特許請求の範囲】
【請求項１】
衣類が収容される収容部と、
オゾン発生器と送風ファンとを含み、前記オゾン発生器が発生させたオゾンを前記送風ファンが発生させた風に載せて前記収容部に送り込むオゾン供給部と、を備え、
前記オゾン供給部は、さらに加熱器を含み、前記送風ファンが発生させた風を前記加熱器で加熱して前記収容部に送り込む、
ことを特徴とする衣類処理装置。
【請求項２】
請求項１に記載の衣類処理装置において、
前記オゾン供給部は、前記送風ファンが発生させた風が通る通気ダクトを、さらに含み、
前記通気ダクトは、前記加熱器が配置された第１流路と、当該第１流路の上流から分岐して前記第１流路の下流に合流する第２流路とを含む、
ことを特徴とする衣類処理装置。
【請求項３】
請求項２に記載の衣類処理装置において、
前記通気ダクトには、前記第１流路に向かう風の流れを整える整流板が設けられる、
ことを特徴とする衣類処理装置。
【請求項４】
請求項２または３に記載の衣類処理装置において、
前記通気ダクトは湾曲部を含み、
前記湾曲部の外周側に前記第１流路が形成され、前記湾曲部の内周側に前記第２流路が形成される、
ことを特徴とする衣類処理装置。
【請求項５】
請求項４に記載の衣類処理装置において、
前記通気ダクトには、前記湾曲部の上流に前記オゾン発生器が配置される、
ことを特徴とする衣類処理装置。
【請求項６】
請求項１ないし５の何れか一項に記載の衣類処理装置において、
前記オゾン供給部からの風に載せて前記収容部内に送り込まれるスチームを発生させるスチーム発生部を、さらに備える、
ことを特徴とする衣類処理装置。
【発明の詳細な説明】
【技術分野】
【０００１】
本発明は、衣類に脱臭等の処理を施す衣類処理装置に関する。
【背景技術】
【０００２】
従来、衣類が収容される袋体と、オゾンを含む空気を袋体内に供給するオゾン供給装置とを備えた衣類脱臭装置が知られている（特許文献１参照）。
【先行技術文献】
【特許文献】
【０００３】
【特許文献１】特開２０１６−０９３３６８号公報
【発明の概要】
【発明が解決しようとする課題】
【０００４】
上記のような衣類脱臭装置に、濡れた衣類を袋体内に収容して乾燥させる乾燥機能が付加されると、ユーザの利便性を一層向上させることができ、望ましい。
【０００５】
そこで、本発明は、衣類の脱臭に加えて衣類の乾燥を可能とすることにより、ユーザの利便性が向上し得る衣類処理装置を提供することを目的とする。
【課題を解決するための手段】
【０００６】
本発明の主たる態様に係る衣類処理装置は、衣類が収容される収容部と、オゾン発生器と送風ファンとを含み、前記オゾン発生器が発生させたオゾンを前記送風ファンが発生させた風に載せて前記収容部に送り込むオゾン供給部と、を備える。ここで、前記オゾン供給部は、さらに加熱器を含み、前記送風ファンが発生させた風を前記加熱器で加熱して前記収容部に送り込む。
【０００７】
上記の構成によれば、衣類の脱臭のみならず、衣類の乾燥を行うことができるので、ユーザの利便性が向上する。
【０００８】
本態様に係る衣類処理装置において、前記オゾン供給部は、前記送風ファンが発生させた風が通る通気ダクトを、さらに含み得る。この場合、前記通気ダクトは、前記加熱器が配置された第１流路と、当該第１流路の上流から分岐して前記第１流路の下流に合流する第２流路とを含む。
【０００９】
上記の構成によれば、第１流路を流れ加熱器で加熱されて高温となった熱風に、第２流路から合流した冷風を混合させることで、適度な温度の温風を発生させることができる。これにより、収容部内で乾燥される衣類が高温の熱風に晒されることで衣類に傷みが生ずることを防止できる。
【００１０】
上記のような構成とされた場合、さらに、前記通気ダクトには、前記第１流路に向かう風の流れを整える整流板が設けられ得る。
【００１１】
このような構成とされれば、第１流路に向かう空気の流れが整流板で整えられることにより第１流路に円滑に空気が流れやすくなるので、第１流路内で多くの空気を加熱器で加熱し熱風にすることができる。これにより、冷風との混合による温風の温度が低くなり過ぎないようにすることができる。
【００１２】
前記通気ダクトが前記第１流路と前記第２流路とを含むような構成とされた場合、さらに、前記通気ダクトは湾曲部を含み得る。この場合、前記湾曲部の外周側に前記第１流路が形成され、前記湾曲部の内周側に前記第２流路が形成される。
【００１３】
このような構成とされれば、湾曲部の外周側に第１流路が形成されることで、第１流路内に空気が流れやすくなるので、第１流路内で多くの空気を加熱器で加熱し熱風にすることができる。これにより、冷風との混合による温風の温度が低くなり過ぎないようにすることができる。
【００１４】
前記通気ダクトが前記湾曲部を含む構成とされた場合、さらに、前記通気ダクトには、前記湾曲部の上流に前記オゾン発生器が配置され得る。
【００１５】
このような構成とされれば、オゾンと空気とを湾曲部でよく混合させることができ、空気中のオゾン濃度を均一化させることができる。
【００１６】
本態様に係る衣類処理装置において、前記オゾン供給部からの風に載せて前記収容部内に送り込まれるスチームを発生させるスチーム発生部を、さらに備えるような構成が採られ得る。
【００１７】
上記の構成によれば、衣類の脱臭のみならず、衣類のシワ伸ばしを行うことができるので、ユーザの利便性が向上する。
【発明の効果】
【００１８】
本発明によれば、衣類の脱臭に加えて衣類の乾燥を可能とすることにより、ユーザの利便性が向上し得る衣類処理装置を提供することができる。
【００１９】
また、上記の効果に加え、収容部内に送り込まれるスチームを発生させるスチーム発生部を備えることで、衣類のシワ伸ばしを行うことができ、ユーザの利便性が一層向上する。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】図１（ａ）は、実施の形態に係る、衣類脱臭装置の斜視図であり、図１（ｂ）は、実施の形態に係る、衣類脱臭装置を構成する台座、支柱および袋体保持部の斜視図である。
【図２】図２（ａ）は、実施の形態に係る、袋体の下部中央部の斜視図であり、図２（ｂ）は、実施の形態に係る、導入ダクトの底面図である。
【図３】図３（ａ）は、実施の形態に係る、排気兼ハンガー保持ユニットが取り付けられた袋体の上部の背面図であり、図３（ｂ）および（ｃ）は、実施の形態に係る、排気兼ハンガー保持ユニットが取り付けられた袋体の上部の正面図である。
【図４】図４は、実施の形態に係る、袋体に取り付けられた排気兼ハンガー保持ユニットの斜視図である。
【図５】図５（ａ）は、実施の形態に係る、上面カバーが装着されていない状態のオゾン供給装置の斜視図である。図５（ｂ）は、実施の形態に係る、上面カバーが装着された状態のオゾン供給装置の斜視図である。
【図６】図６（ａ）ないし（ｃ）は、それぞれ、実施の形態に係る、オゾン供給装置の左側面図、背面図および底面図であり、図６（ｄ）および（ｅ）は、実施の形態に係る、台座に固定された状態のオゾン供給装置を示す要部の側面断面図である。
【図７】図７（ａ）は、実施の形態に係る、背面側から見たオゾン供給装置の縦断面図であり、図７（ｂ）は、実施の形態に係る、上面側から見たオゾン供給装置の要部の横断面図である。
【図８】図８（ａ）は、実施の形態に係る、オゾン供給装置の要部の平面図であり、図８（ｂ）は、実施の形態に係る、オゾン供給装置の筐体の上面を裏側から見た要部の断面図である。
【図９】図９は、実施の形態に係る、制御ユニットの構成を示すオゾン供給装置のブロック図である。
【図１０】図１０は、実施の形態に係る、制御部による運転制御動作を示すフローチャートである。
【図１１】図１１は実施の形態に係る、制御部による照明装置の制御動作を示すフローチャートである。
【図１２】図１２（ａ）は、変更例１に係る、衣類脱臭装置の斜視図であり、図１２（ｂ）は、変更例１に係る、オゾン供給装置の左側面図である。
【図１３】図１３は、変更例１に係る、スチーム発生装置の正面断面図である。
【図１４】図１４は、変更例１に係る、制御ユニットの構成を示すオゾン供給装置とスチーム発生装置のブロック図である。
【図１５】図１５は、変更例１に係る、制御部によるシワ伸ばしコースの制御動作を示すフローチャートである。
【発明を実施するための形態】
【００２２】
以下、本発明の衣類処理装置の一実施形態である衣類脱臭装置について、図面を参照して説明する。
【００２３】
図１は、衣類脱臭装置１の構成を示す図である。図１（ａ）は、衣類脱臭装置１の斜視図であり、図１（ｂ）は、衣類脱臭装置１を構成する台座５０、支柱６０および袋体保持部７０の斜視図である。また、図２は、袋体１０および導入ダクト３０の構成を示す図である。図２（ａ）は、袋体１０の下部中央部の斜視図であり、図２（ｂ）は、導入ダクト３０の底面図である。さらに、図３は、排気兼ハンガー保持ユニット４０の構成を示す図である。図３（ａ）は、排気兼ハンガー保持ユニット４０が取り付けられた袋体１０の上部の背面図であり、図３（ｂ）および（ｃ）は、ともに排気兼ハンガー保持ユニット４０が取り付けられた袋体１０の上部の正面図である。図４は、袋体１０に取り付けられた排気兼ハンガー保持ユニット４０の斜視図である。なお、図３（ｂ）および（ｃ）では、袋体１０の前面の図示が省略されており、図４では、袋体１０が透明に描かれている。
【００２４】
図１ないし４を参照して、衣類脱臭装置１は、袋体１０と、オゾン供給装置２０と、導入ダクト３０と、排気兼ハンガー保持ユニット４０と、台座５０と、支柱６０と、袋体保持部７０と、香り供給ユニット８０とを含む。
【００２５】
袋体１０は、スーツ、コート等の各種の衣類を収容する。袋体１０は、密閉性に富むように、通気性を有しない生地材料を複数枚重ねるようにして形成される。袋体１０は、前後に扁平なほぼ縦長の直方体形状を有し、上下の寸法が、ロングブラウス、ロングコート等の丈の長い衣類が収容できる寸法に設定される。また、袋体１０は、前後の寸法が、一着の衣類が収容できる寸法に設定される。なお、袋体１０は、上下の寸法が、丈の長い衣類が収容できない寸法に設定されても良く、前後の寸法が、二着から三着程度の衣類が前後に並ぶように収容できる寸法に設定されても良い。なお、袋体１０は、本発明の収容部に相当する。
【００２６】
袋体１０の前面には、左右方向におけるほぼ中央に、上端から下端に亘って、衣類の投入口１１となる切れ目が形成される。投入口１１には、ファスナー１２が取り付けられる。ファスナー１２は、閉鎖する際の始端部１２ａおよび終端部１２ｂが、それぞれ、袋体１０の上端および下端に位置する。ファスナー１２のスライダー１２ｃは、始端部１２ａから終端部１２ｂの間を移動する。スライダー１２ｃが始端部１２ａから降ろされるとファスナー１２が閉じて投入口１１が閉鎖され、スライダー１２ｃが終端部１２ｂから上げられると、ファスナー１２が開いて投入口１１が開放される。
【００２７】
袋体１０の前面には、上部の右側にほぼ長方形の窓部１３が形成される。窓部１３は透明なシート１４で塞がれる。ユーザは、窓部１３を通じて袋体１０の内部を見ることができる。
【００２８】
オゾン供給装置２０は、衣類の脱臭を行う脱臭運転と、衣類に香り付けを行う香り付け運転と、衣類を乾燥させる乾燥運転とを行う。オゾン供給装置２０は、脱臭運転時には、排出する空気にオゾンを含ませる動作を行うことにより、オゾンを含む空気を袋体１０に供給する。また、オゾン供給装置２０は、香り付け運転時には、排出する空気にオゾンを含ませない動作を行うことにより、オゾンを含まない空気を袋体１０に供給する。さらに、オゾン供給装置２０は、乾燥運転時には、温風を発生させて袋体１０に供給する。なお、オゾン供給装置２０は、本発明のオゾン供給部に相当する。
【００２９】
導入ダクト３０は、袋体１０とオゾン供給装置２０とに連結され、オゾン供給装置２０から排出された空気を袋体１０内に導く。図２（ａ）および（ｂ）に示すように、袋体１０には、下面中央部に空気の吹出口１５が設けられ、この吹出口１５から垂下する円筒状部１６に、導入ダクト３０の先端部が固定される。導入ダクト３０は、相対的に外径が小さい円筒形の本体部３１と、本体部３１の下方に形成される、相対的に外径が大きい円筒形の接続部３２とを含む。接続部３２の下端であって、袋体１０へ取り付けられた状態において袋体１０の右方を向く位置と左方を向く位置に、それぞれ、右爪部３３および左爪部３４が形成される。
【００３０】
排気兼ハンガー保持ユニット４０は、袋体１０の後面上部に設けられる。図３（ａ）ないし図４に示すように、排気兼ハンガー保持ユニット４０は、排気部４１と、ハンガー保持部４２と、装着部４３とを含む。排気兼ハンガー保持ユニット４０は、袋体１０の後面上部を外側と内側とから挟み込むように連結された後ユニット１００および前ユニット２００により構成される。
【００３１】
排気部４１を通じて袋体１０内からの空気が外部に排出される。排気部４１にはオゾン除去フィルタ３００が装着される。オゾン除去フィルタ３００には、たとえば、アルミニウム等の基材に活性炭と触媒とを転着させた活性炭・触媒フィルタが用いられる。オゾン除去フィルタ３００は、排気部４１を通る空気に含まれるオゾンを除去する。図３（ｂ）のように、ハンガー保持部４２は、衣類が掛けられた衣類用ハンガーＨ１を保持する。また、ハンガー保持部４２は、上面カバー４４０を保持する。上面カバー４４０は、弓なりにやや湾曲した横長の板状に形成される。この上面カバー４４０によって、袋体１０の上面が内側から補強される。装着部４３は、後方に張り出す四角い箱状に形成され、その後面に装着穴４３ａが形成される。
【００３２】
なお、乾燥運転が行われる際には、図３（ｃ）のように、ハンガー保持部４２に、少量たとえば、１Ｋｇ程度の洗濯物が吊り下げられた洗濯ハンガーＨ２が保持される。
【００３３】
図４に示すように、装着部４３の前方には、照明ケース４４が装着部４３と一体に形成される。照明ケース４４は、下面が開口するとともに、その内部に照明装置９０が装着される。照明装置９０は、たとえば、マトリクス状に配列された多数のＬＥＤからなるＬＥＤモジュールである。照明装置９０は、袋体１０の内部において、ハンガー保持部４２の下方を照らす。図示しないが、照明装置９０からの配線は、袋体１０の背面および下面を伝い、さらに導入ダクト３０を伝ってオゾン供給装置２０の内部に導入される。
【００３４】
台座５０は、所定の形状、たとえば、四角形状を有する平板である。台座５０の上にオゾン供給装置２０が載置される。台座５０の後部には、支柱６０を支えるための支え部５１が形成される。さらに、台座５０には、オゾン供給装置２０の前面が台座５０の正面方向を向くようにオゾン供給装置２０を固定するための第１固定部５２と第２固定部５３が形成される。第１固定部５２は、複数の鉤状の爪部５２ａにより構成される。第２固定部５３は、一端部が台座５０に支持されたＬ字状の弾性レバー５３ａと、弾性レバー５３ａの一端部よりやや後方に形成された突起５３ｂと、弾性レバー５３ａの他端部に形成された押圧部５３ｃとを含む。押圧部５３ｃが下方に押されると、弾性レバー５３ａが弾性変形し、突起５３ｂが下方に引っ込む。
【００３５】
支柱６０は、２本のポール６１により構成される。支柱６０は、下端部が支え部５１に取り付けられ、台座５０に対して直立する。支柱６０は、２本のポール６１でなく、１本あるいは３本以上のポールより構成されても良い。また、支柱６０の高さが調整できるよう、支柱６０に伸縮機構が設けられてもよい。
【００３６】
支柱６０の上端に、袋体保持部７０が取り付けられる。袋体保持部７０は、前方に突出する保持部７１を備え、この保持部７１を装着部４３の装着穴４３ａに挿入することにより、袋体１０を、前後、上下および左右の何れの方向にも動かないように吊り下げ保持する。
【００３７】
香り供給ユニット８０は、オゾン供給装置２０によって香り付け運転が行われる際に用いられる。香り供給ユニット８０では、収容ケース内に液体状の芳香剤が含浸された芳香体が収容される。香り供給ユニット８０は、導入ダクト３０に着脱可能に装着され、袋体１０に供給される空気に芳香成分を含ませる。
【００３８】
次に、オゾン供給装置２０の詳細な構成について説明する。
【００３９】
図５ないし図７は、オゾン供給装置２０の構成を示す図である。図５（ａ）は、上面カバー４４０が装着されていない状態のオゾン供給装置２０の斜視図である。図５（ｂ）は、上面カバー４４０が装着された状態のオゾン供給装置２０の斜視図である。図６（ａ）ないし（ｃ）は、それぞれ、オゾン供給装置２０の左側面図、背面図および底面図であり、図６（ｄ）および（ｅ）は、台座５０に固定された状態のオゾン供給装置２０を示す要部の側面断面図である。図７（ａ）は、背面側から見たオゾン供給装置２０の縦断面図であり、図７（ｂ）は、上面側から見たオゾン供給装置２０の要部の横断面図である。なお、図７（ａ）では、右挿入凹部４１５、左挿入凹部４１６およびダクト検出部４６０の図示が省略されている。
【００４０】
オゾン供給装置２０は、筐体４００を備える。筐体４００は、箱本体４１０と、前面カバー４２０と、吸気カバー４３０と、上面カバー４４０と、操作部４５０とを含む。図５（ａ）に示すように、箱本体４１０は、上面が緩やかに凸湾曲した横長の直方体形状を有する。箱本体４１０の前面には前面開口部４１１が形成され、この前面開口部４１１が前面カバー４２０によって着脱可能に閉鎖される。
【００４１】
箱本体４１０の上面には、上面カバー４４０の形状と同じ形状に窪む凹面部４１２が形成される。凹面部４１２の中央には、円形に窪んだ差込口部４１３が設けられる。差込口部４１３には、格子状の整流リブ４１４ａを有する排出口４１４が形成される。  凹面部４１２には、差込口部４１３の左右両側に、導入ダクト３０の右爪部３３および左爪部３４に対応する形状を有する右挿入凹部４１５および左挿入凹部４１６が形成される。
【００４２】
図５（ｂ）に示すように、凹面部４１２には、衣類脱臭装置１が使用されないときに、袋体１０から外された上面カバー４４０を装着することができる。これにより、袋体１０から外された上面カバー４４０の保管場所が確保されるため、非使用時の上面カバー４４０の紛失を防止できる。また、非使用時に排出口４１４から筐体４００の内部へ埃等が侵入するのを防止できる。
【００４３】
図６（ａ）に示すように、箱本体４１０の左側面には、操作部４５０が設けられる。操作部４５０は、電源ボタン４５１と、スタートボタン４５２と、脱臭ボタン４５３と、香り付けボタン４５４と、乾燥ボタン４５５とを含む。電源ボタン４５１は、衣類脱臭装置１の電源を投入および遮断するためのボタンである。スタートボタン４５２は、運転を開始させるためのボタンである。脱臭ボタン４５３は、脱臭運転が行われる脱臭コースを設定するためのボタンである。香り付けボタン４５４は、香り付け運転が行われる香り付けコースを設定するためのボタンである。乾燥ボタン４５５は、乾燥運転が行われる乾燥コースを設定するためのボタンである。
【００４４】
図６（ｂ）に示すように、箱本体４１０の後面には吸気口４１８が形成され、この吸気口４１８が吸気カバー４３０により着脱可能に閉鎖される。吸気カバー４３０には、多数の吸気孔４３１が形成される。
【００４５】
図６（ｃ）に示すように、箱本体４１０の底面には、台座５０の第１固定部５２各爪部５２ａに対応する位置に第１取付孔４１９ａが形成され、第２固定部５３の突起５３ｂに対応する位置に第２取付孔４１９ｂが形成される。ユーザが、第２固定部５３の押圧部５３ｃを下方に押して突起５３ｂを引っ込めた後に第１取付孔４１９ａに爪部５２ａを通すようにしてオゾン供給装置２０を台座５０に載せ、さらに、オゾン供給装置２０を横方向にスライドさせると、図６（ｄ）に示すように、爪部５２ａと箱本体４１０の底面とが係合する。その後、ユーザが、押圧部５３ｃの押圧を止めると、図６（ｅ）に示すように、突起５３ｂが第２取付孔４１９ｂに嵌り込む。これにより、オゾン供給装置２０が上下、前後および左右方向に動かないように台座５０に固定される。よって、オゾン供給装置２０からの空気の供給によって袋体１０が膨らむときにオゾン供給装置２０に掛かる力によってオゾン供給装置２０が転倒することを防止できる。
【００４６】
筐体４００の内部に、オゾン発生器６１０と加熱器６２０とが内蔵された通気ダクト５００と、送風ファン７００と、吸気ユニット８００と、制御ユニット９００とが配置される。
【００４７】
図７（ａ）および（ｂ）に示すように、通気ダクト５００は、ダクト本体５１０と、ダクト蓋５２０とを含む。ダクト本体５１０は、導入口５１１が送風ファン７００の吐出口７２０に接続され、導出口５１２が排出口４１４に接続される。ダクト本体５１０内の導入口５１１の近傍にオゾン発生器６１０が配置される。ダクト本体５１０は、導入口５１１から左方に延び、オゾン発生器６１０の配置位置を過ぎた部分から右方に折り返されるように湾曲した後、上方に延びて導出口５１２へと至るような形状を有する。即ち、ダクト本体５１０は、湾曲部５１０ａを有する。
【００４８】
オゾン発生器６１０は、放電方式のオゾン発生器であり、一対の電極間にコロナ放電、無声放電等の放電を生じさせ、一対の電極間に通された空気からオゾンを生成する。ダクト本体５１０の前面には、オゾン発生器６１０に対応する位置に開口部５１３が形成される。開口部５１３は、ダクト蓋５２０によって閉鎖される。ユーザは、前面カバー４２０およびダクト蓋５２０を外すことにより、開口部５１３を通じて、電極の清掃等、オゾン発生器６１０のメンテナンスを行うことができる。
【００４９】
ダクト本体５１０の湾曲部５１０ａには、上下方向に延びる仕切リブ５１４が、ダクト本体５１０の前後の内壁面に跨るように形成される。この仕切リブ５１４により湾曲部５１０ａ内にメイン流路５１５とバイパス流路５１６とが形成される。メイン流路５１５は、本発明の第１流路に相当し、バイパス流路５１６は、本発明の第２流路に相当する。
【００５０】
メイン流路５１５は、湾曲部５１０ａの外周側に形成され、バイパス流路５１６は、湾曲部５１０ａの内周側に形成される。バイパス流路５１６は、メイン流路５１５の上流から分岐してメイン流路５１５の下流に合流する。また、ダクト本体５１０内には、メイン流路５１５に向かう空気の流れを整える３つの整流板５１７が、ダクト本体５１０の前後の内壁面に跨るように形成される。
【００５１】
メイン流路５１５内には、加熱器６２０が配置される。加熱器６２０として、たとえば、ＰＴＣヒータを用いることができる。加熱器６２０は、メイン流路５１５内を流れる空気を加熱する。
【００５２】
送風ファン７００は、遠心ファンであり、側面に吸込口７１０が設けられ、周面に吐出口７２０が設けられる。吸込口７１０は、筐体４００後面の吸気口４１８に対向する。送風ファン７００は、吸込口７１０から空気を取り込み、取り込んだ空気を通気ダクト５００内のオゾン発生器６１０へ送る。送風ファン７００として、遠心ファン以外のファン、たとえば、軸流ファンが用いられても良い。
【００５３】
図７（ｂ）に示すように、筐体４００の吸気口４１８と送風ファン７００の吸込口７１０との間に吸気ユニット８００が設けられる。吸気ユニット８００は、吸気ダクト８１０と、ダストフィルタ８２０と、オゾン除去フィルタ８３０とを含む。
【００５４】
吸気ダクト８１０内は、格子状の仕切板８１１により、吸気口４１８側の第１フィルタ収容部８１２と、送風ファン７００側の第２フィルタ収容部８１３に区画される。第１フィルタ収容部８１２にダストフィルタ８２０が収容され、第２フィルタ収容部８１３にオゾン除去フィルタ８３０が収容される。ダストフィルタ８２０は、吸気口４１８から取り込まれる空気に含まれる埃などを除去する。オゾン除去フィルタ８３０は、ダストフィルタ８２０を通過した空気に含まれるオゾンを除去する。オゾン除去フィルタ８３０には、排気兼ハンガー保持ユニット４０のオゾン除去フィルタ３００と同様、活性炭・触媒フィルタが用いられ得る。
【００５５】
吸気ダクト８１０には、送風ファン７００の吸込口７１０に接続される接続部８１４が設けられ、接続部８１４と第２フィルタ収容部８１３とが連通孔８１５により繋がる。
【００５６】
図８（ａ）は、オゾン供給装置２０の要部の平面図であり、図８（ｂ）は、オゾン供給装置２０の筐体４００の上面を裏側から見た要部の断面図である。図８（ａ）および（ｂ）を参照し、オゾン供給装置２０への導入ダクト３０の接続と、ダクト検出部４６０による接続の検出について説明する。
【００５７】
導入ダクト３０がオゾン供給装置２０に接続される際、図８（ａ）に示すように、右爪部３３および左爪部３４が、それぞれ、右挿入凹部４１５および左挿入凹部４１６に挿入されるように、導入ダクト３０の接続部３２が差込口部４１３に差し込まれる。
【００５８】
右挿入凹部４１５の前側には、右挿入凹部４１５に挿入された右爪部３３が、ほぼ右爪部３３一つ分だけ右回り方向に移動となるように右開口部４１５ａが形成される。同様に、左挿入凹部４１６の後側には、左挿入凹部４１６に挿入された左爪部３４が、ほぼ左爪部３４一つ分だけ右回り方向に移動となるように左開口部４１６ａが形成される。導入ダクト３０が、上方から見て右回りに回転されると、右爪部３３および左爪部３４が、それぞれ、右開口部４１５ａおよび左開口部４１６ａを通って箱本体４１０の上面の裏側に移動し、箱本体４１０の上面と係合する。これにより、導入ダクト３０が上方に外れなくなる。
【００５９】
図８（ｂ）に示すように、箱本体４１０の上面の裏側には、ダクト検出部４６０が配置される。ダクト検出部４６０は、ダクト検出スイッチ４６１と、中継レバー４６２とを含む。ダクト検出スイッチ４６１は、スイッチ部４６１ａとスイッチ部４６１ａを押すためのレバー部４６１ｂとを有する。中継レバー４６２は、箱本体４１０の上面の裏側に形成された回転軸４６３に回転自在に取り付けられ、一端が右挿入凹部４１５の近傍に位置し、他端がダクト検出スイッチ４６１に接触する。
【００６０】
導入ダクト３０がオゾン供給装置２０に接続され、図８（ｂ）のように、右爪部３３が箱本体４１０の上面の裏側に移動すると、中継レバー４６２の一端側が右爪部３３に押される。中継レバー４６２が回転し、中継レバー４６２の他端側によってレバー部４６１ｂが押され、押されたレバー部４６１ｂによりスイッチ部４６１ａが押される。これにより、ダクト検出スイッチ４６１が、導入ダクト３０が差込口部４１３に装着されたことを検出する。
【００６１】
なお、導入ダクト３０が差込口部４１３から外されると、レバー部４６１ｂは自身の弾性力によって、中継レバー４６２を回転させながら初期の位置に戻る。これにより、ダクト検出スイッチ４６１が、導入ダクト３０が差込口部４１３から外されたことを検出する。
【００６２】
次に、制御ユニット９００の構成について説明する。
【００６３】
図９は、制御ユニット９００の構成を示すオゾン供給装置２０のブロック図である。制御ユニット９００は、制御部９１０と、記憶部９２０と、操作入力部９３０と、発生器駆動部９４０と、加熱器駆動部９５０と、ファン駆動部９６０と、照明駆動部９７０とを備える。
【００６４】
記憶部９２０は、ＥＥＰＲＯＭ、ＲＡＭ等を含む。記憶部９２０には、脱臭運転、香り付け運転および乾燥運転を実行するためのプログラムが記憶される。また、記憶部９２０には、これらプログラムの実行に用いられる各種パラメータや各種制御フラグが記憶される。
【００６５】
操作入力部９３０は、電源ボタン４５１、スタートボタン４５２、脱臭ボタン４５３、香り付けボタン４５４、乾燥ボタン４５５のうち、ユーザに操作されたボタンに応じた入力信号を制御部９１０に出力する。ダクト検出スイッチ４６１は、オゾン供給装置２０への導入ダクト３０の装着を検出すると、これに応じた検出信号を制御部９１０に出力する。
【００６６】
発生器駆動部９４０は、制御部９１０からの制御信号に従って、オゾン発生器６１０を駆動する。加熱器駆動部９５０は、制御部９１０からの制御信号に従って、加熱器６２０を駆動する。ファン駆動部９６０は、制御部９１０からの制御信号に従って、送風ファン７００を駆動する。照明駆動部９７０は、制御部９１０からの制御信号に従って、照明装置９０を駆動する。
【００６７】
制御部９１０は、操作入力部９３０、ダクト検出スイッチ４６１、等からの各信号に基づいて、記憶部９２０に記憶されたプログラムに従い、発生器駆動部９４０、加熱器駆動部９５０、ファン駆動部９６０、照明駆動部９７０等を制御する。
【００６８】
本実施の形態の衣類脱臭装置１では、脱臭コース、香り付けコースおよび乾燥コースの運転を行うことができる。さらに、衣類脱臭装置１では、乾燥運転の後に脱臭運転を行う乾燥・脱臭コースの運転を行うことができる。
【００６９】
図１０は、制御部９１０による運転制御動作を示すフローチャートである。
【００７０】
ユーザが電源ボタン４５１を押すことにより、衣類脱臭装置１に電源が投入されると、制御部９１０による運転制御動作が開始される。
【００７１】
脱臭コースの運転を行う場合、ユーザは、袋体保持部７０に吊り下げられた袋体１０内に、衣類用ハンガーＨ１に掛けられた衣類を収容する。この際、ユーザは、図３（ｂ）に示すように、袋体１０内において、衣類用ハンガーＨ１をハンガー保持部４２に引っ掛けるようにする。
【００７２】
ユーザは、オゾン供給装置２０の脱臭ボタン４５３を押して脱臭コースを設定した後にスタートボタン４５２を押す。
【００７３】
スタートボタン４５２による開始操作がなされると（Ｓ１０１：ＹＥＳ）、制御部９１０は、如何なる運転コースが設定されているかを判定する（Ｓ１０２）。脱臭コースが設定されている場合（Ｓ１０２：脱臭）、制御部９１０は、送風ファン７００とオゾン発生器６１０を起動させる（Ｓ１０３）。
【００７４】
吸気口４１８から外部の空気が吸気ダクト８１０に取り込まれ、吸気ダクト８１０内のダストフィルタ８２０とオゾン除去フィルタ８３０により空気に含まれた埃とオゾンとが除去される。埃とオゾンが除去された空気が通気ダクト５００内に送り込まれ（図７（ｂ）の矢印参照）、空気がオゾン発生器６１０を通過する際に、空気にオゾン発生器６１０で発生したオゾンが混入される。こうして、オゾンを含む空気が通気ダクト５００内を通って排出口４１４に至り、排出口４１４から排出される。
【００７５】
オゾン供給装置２０から排出された、オゾンを含む空気は、導入ダクト３０を通って袋体１０内に導入される。図１（ａ）の矢印に示すように、袋体１０内に導入された、オゾンを含む空気は、袋体１０内を下から上へ衣類に触れながら流れる。空気に含まれたオゾンの脱臭作用により衣類が脱臭される。
【００７６】
衣類の脱臭によりオゾン濃度が低下した空気は、図１（ａ）の破線矢印に示すように、袋体１０の上部の排気部４１を通って袋体１０の外へ排出される。脱臭後の空気は、排気部４１を通過する際、オゾン除去フィルタ３００によりオゾンが除去される。
【００７７】
所定の脱臭運転時間（たとえば、８時間）が経過すると（Ｓ１０４：ＹＥＳ）、制御部９１０は、送風ファン７００とオゾン発生器６１０を停止させる（Ｓ１０５）。こうして、脱臭コースの運転が終了する。
【００７８】
次に、香り付けコースの運転を行う場合、ユーザは、袋体保持部７０に吊り下げられた袋体１０内に衣類を収容するとともに、袋体１０内において、導入ダクト３０の先端部に香り供給ユニット８０を取り付ける。ユーザは、香り付けボタン４５４を押して香り付けコースを設定した後にスタートボタン４５２を押す。
【００７９】
Ｓ１０２で香り付けコースが設定されていると判定すると（Ｓ１０２：香り付け）、制御部９１０は、送風ファン７００を起動させる（Ｓ１０６）。オゾンを含まない空気が、通気ダクト５００内を通って導入ダクト３０へと至り、導入ダクト３０から排出される。導入ダクト３０から排出された空気は、香り供給ユニット８０を通り、この際に、芳香体に含まれる芳香成分が揮発し、空気に混入される。こうして、芳香成分を含む空気が袋体１０内に排出される。芳香成分を含む空気は袋体１０内を下から上へ流れ、排気部４１から袋体１０の外に排出される。袋体１０に収容された衣類に芳香成分が吸着する。
【００８０】
所定の香り付け運転時間（たとえば、１０分）が経過すると（Ｓ１０７：ＹＥＳ）、制御部９１０は、送風ファン７００を停止させる（Ｓ１０８）。こうして、香り付けコースの運転が終了する。
【００８１】
次に、乾燥コースまたは乾燥・脱臭コースの運転を行う場合、ユーザは、袋体保持部７０に吊り下げられた袋体１０内に、洗濯ハンガーＨ２に吊り下げられた洗濯物、即ち濡れた衣類を収容する。この際、ユーザは、図３（ｃ）に示すように、袋体１０内において、洗濯ハンガーＨ２をハンガー保持部４２に引っ掛けるようにする。
【００８２】
ユーザは、乾燥コースの運転を行う場合、乾燥ボタン４５５を押して乾燥コースを設定した後にスタートボタン４５２を押し、乾燥・脱臭コースの運転を行う場合、乾燥ボタン４５５に続いて脱臭ボタン４５３を押すことで乾燥・脱臭コースを設定した後にスタートボタン４５２を押す。
【００８３】
Ｓ１０２で乾燥コースが設定されていると判定すると（Ｓ１０２：乾燥）、制御部９１０は、送風ファン７００と加熱器６２０を起動させる（Ｓ１０９）。通気ダクト５００に取り込まれた空気は、停止状態のオゾン発生器６１０を通過した後、その大部分がメイン流路５１５を通って加熱器６２０で加熱され、高温（たとえば、１００℃程度）の熱風となる（図７（ａ）の実線矢印参照）。一方、一部の空気は、バイパス流路５１６を通った後（図７（ａ）の破線矢印参照）、冷風の状態でメイン流路５１５からの熱風と合流する。これにより、熱風が、冷風と混合されて、衣類を乾燥するために袋体１０に導入するのに適度な温度（たとえば、６０℃程度）の温風となる（図７（ａ）の白抜き矢印参照）。なお、メイン流路５１５は、空気が流れやすい湾曲部５１０ａの外周側に形成される。また、メイン流路５１５に向かう空気は、３つの整流板５１７によって、その流れが整えられる。これらの構成により、大部分の空気が円滑にメイン流路５１５へと流れるので、メイン流路５１５において多くの空気を熱風とすることができ、冷風との混合による温風の温度が低くなり過ぎることがない。
【００８４】
その後、温風は、排出口４１４から排出され、導入ダクト３０を通って袋体１０内に導入される。温風は袋体１０内を下から上へ流れ、排気部４１から袋体１０の外に排出される。袋体１０に収容された洗濯物が温風によって乾かされる。ここで、図１（ａ）に示すように、袋体１０の吹出口１５は、袋体１０の左右方向における中心にあり、排気部４１は、袋体１０の左右方向における中心から左方にずれた位置にある。これにより、温風が袋体１０内で効率良く循環し、洗濯物が乾燥しやすくなる。
【００８５】
所定の乾燥運転時間（たとえば、１５０分）が経過すると（Ｓ１１０：ＹＥＳ）、制御部９１０は、送風ファン７００と加熱器６２０を停止させる（Ｓ１１１）。こうして、乾燥コースの運転が終了する。
【００８６】
Ｓ１０２で乾燥・脱臭コースが設定されていると判定すると（Ｓ１０２：乾燥・脱臭）、制御部９１０は、送風ファン７００と加熱器６２０を起動させ（Ｓ１１２）、乾燥コースと同様の乾燥運転を行う。乾燥運転時間が経過すると（Ｓ１１３：ＹＥＳ）、制御部９１０は、加熱器６２０を停止させる（Ｓ１１４）。その後、制御部９１０は、オゾン発生器６１０を起動させて（Ｓ１１５）、脱臭コースと同様の脱臭運転を行う。脱臭運転時間が経過すると（Ｓ１１６：ＹＥＳ）、制御部９１０は、送風ファン７００とオゾン発生器６１０を停止させる（Ｓ１１７）。こうして、乾燥・脱臭コースの運転が終了する。
【００８７】
図１１は、制御部９１０による照明装置９０の制御動作を示すフローチャートである。
【００８８】
衣類脱臭装置１に電源が投入されると、制御部９１０による照明装置９０の制御動作が開始される。制御部９１０は、照明装置９０を点灯させる（Ｓ２０１）。照明装置９０によって袋体１０の内部が照らされる。これにより、ユーザは、袋体１０の中に衣類を収容する作業が行いやすくなる。特に、袋体１０には窓部１３が設けられているので、ユーザは、窓部１３を通じて照明装置９０で照らされた袋体１０の中を見ながら衣類の収容作業を行うことができる。
【００８９】
制御部９１０は、スタートボタン４５２による開始操作が行われたか否か、および、照明装置９０を点灯させてから所定時間（たとえば、１０分）が経過したか否かを判定する（Ｓ２０２、Ｓ２０３）。そして、開始操作が行われるか（Ｓ２０２：ＹＥＳ）、もしくは、開始操作が行われる前に所定時間が経過すると（Ｓ２０２：ＮＯ→Ｓ２０３：ＹＥＳ）、制御部９１０は、照明装置９０を消灯させる（Ｓ２０４）。
【００９０】
何れかの運転コースの運転が開始されると、次に、制御部９１０は、運転終了の所定時間前（たとえば、３０分前）になったか否かを判定する（Ｓ２０５）。そして、運転終了の所定時間前になると（Ｓ２０５：ＹＥＳ）、制御部９１０は、照明装置９０を点灯させる（Ｓ２０６）。ユーザは、窓部１３を通じて袋体１０内が照明装置９０で照らされたことを確認することにより、運転の終了が近くなったことを把握できる。その後、運転が終了すると（Ｓ２０７：ＹＥＳ）、制御部９１０は、照明装置９０を消灯させる（Ｓ２０８）。なお、所定時間前から運転終了までの間、照明装置９０は連続的に点灯されてもよいし、間欠的（たとえば、５分オン―５分オフ）に点灯されてもよい。
【００９１】
＜本実施の形態の効果＞
以上、本実施の形態によれば、以下の作用効果が奏される。
【００９２】
（１）衣類脱臭装置１において、衣類の脱臭のみならず、衣類の乾燥を行うことができるので、ユーザの利便性が向上する。
【００９３】
（２）通気ダクト５００が、加熱器６２０が配置されたメイン流路５１５と、メイン流路５１５の上流から分岐してメイン流路５１５の下流に合流するバイパス流路５１６とを含むような構成とされているので、メイン流路５１５を流れ加熱器６２０で加熱されて高温となった熱風に、バイパス流路５１６から合流した冷風を混合させることで、適度な温度の温風を発生させることができる。これにより、袋体１０内で乾燥される衣類が高温の熱風に晒されることで衣類に傷みが生ずることを防止できる。
【００９４】
（３）通気ダクト５００が湾曲部５１０ａを有するような構成とされ、湾曲部５１０ａの外周側にメイン流路５１５が形成されるので、メイン流路５１５内に空気が流れやすく、メイン流路５１５内で多くの空気を加熱器６２０で加熱し熱風にすることができる。これにより、冷風との混合による温風の温度が低くなり過ぎないようにすることができる。
【００９５】
（４）メイン流路５１５に向かう空気の流れが整流板５１７によって整えられるので、メイン流路５１５に円滑に空気が流れやすく、メイン流路５１５内で多くの空気を加熱器６２０で加熱し熱風にすることができる。これにより、冷風との混合による温風の温度が低くなり過ぎないようにすることができる。
【００９６】
（５）通気ダクト５００の湾曲部５１０ａよりも上流にオゾン発生器６１０が配置されているので、オゾンと空気とを湾曲部５１０ａでよく混合させることができ、空気中のオゾン濃度を均一化させることができる。
【００９７】
以上、本発明の実施の形態について説明したが、本発明は、上記実施の形態によって何ら制限されるものではなく、また、本発明の実施の形態も、上記以外に種々の変更が可能である。
【００９８】
＜変更例１＞
図１２（ａ）は、変更例１に係る、衣類脱臭装置１の斜視図であり、図１２（ｂ）は、変更例１に係る、オゾン供給装置２０の左側面図である。図１３は、変更例１に係る、スチーム発生装置１０００の正面断面図である。
【００９９】
図１２（ａ）に示すように、本変更例の衣類脱臭装置１は、スチームを発生させるスチーム発生装置１０００を備える。スチーム発生装置１０００は、オゾン供給装置２０に隣接するようにして台座５０上に設置される。導入ダクト３０にはスチームの導入口３０ａが設けられ、この導入口３０ａにスチーム発生装置１０００のスチーム供給ダクト１５００が接続される。スチーム発生装置１０００は、本発明のスチーム発生部に相当する。
【０１００】
図１２（ｂ）に示すように、スチーム発生装置１０００を用いたシワ伸ばしコースの運転を行うため、オゾン供給装置２０の操作部４５０に、スチームボタン４５６と、温風設定ボタン４５７とが設けられる。スチームボタン４５６は、シワ伸ばしコースを設定するためのボタンであり、温風設定ボタン４５７は、シワ伸ばしコースにおいて、温風設定を行うためのボタンである。温風設定がなされると、オゾン供給装置２０から、加熱器６２０の加熱により生成された温風が供給される。
【０１０１】
図１３に示すように、スチーム発生装置１０００は、ハウジング１１００と、スチームタンク１２００と、スチームヒータ１３００と、給水装置１４００と、スチーム供給ダクト１５００とを備える。
【０１０２】
ハウジング１１００は、ほぼ直方体形状を有する。スチームタンク１２００は、金属材料で形成され、その上部にスチームの排出口１２１０が設けられる。排出口１２１０は、ハウジング１１００の上面から上方に突出する。スチームタンク１２００は、その底部の四隅に設けられた支持脚１２２０によって、ハウジング１１００の底面との間に所定の隙間を有するように支持される。
【０１０３】
スチームヒータ１３００は、スチームタンク１２００の外底面に取り付けられ、スチームタンク１２００内に溜められた水を加熱する。
【０１０４】
給水装置１４００は、水が貯えられる給水タンク１４１０を備える。給水タンク１４１０には、当該タンク内に水を補給するための補給口１４１１と、スチームタンク１２００に繋がる供給口１４１２とが設けられる。補給口１４１１は、着脱自在のキャップ１４２０により閉塞される。供給口１４１２には、給水ポンプ１４３０が設けられる。給水ポンプ１４３０の動作によって、給水タンク１４１０内の水が供給口１４１２を通じてスチームタンク１２００内に送られる。
【０１０５】
スチーム供給ダクト１５００は、ゴム材料等により形成されたフレキシブルなダクトであり、一端がハウジング１１００から突出するスチームタンク１２００の排出口１２１０に接続され、他端が導入ダクト３０の導入口３０ａに接続される。
【０１０６】
スチームヒータ１３００が作動すると、スチームタンク１２００内に溜められた水が加熱されて蒸発し、スチームタンク１２００内にスチームが発生する。発生したスチームは、排出口１２１０から排出され、スチーム供給ダクト１５００を通じて導入ダクト３０内に供給される。
【０１０７】
図１４は、変更例１に係る、制御ユニット９００の構成を示すオゾン供給装置２０とスチーム発生装置１０００のブロック図である。
【０１０８】
スチームボタン４５６および温風設定ボタン４５７は、操作入力部９３０に接続される。操作入力部９３０は、スチームボタン４５６と温風設定ボタン４５７の操作を受け付け、これらボタンに応じた入力信号を制御部９１０に出力する。また、制御ユニット９００は、スチーム発生装置１０００のスチームヒータ１３００と給水ポンプ１４３０とを動作させるため、スチーム駆動部９８０とポンプ駆動部９９０とを備える。スチーム駆動部９８０は、制御部９１０からの制御信号に従って、スチームヒータ１３００を駆動する。ポンプ駆動部９９０は、制御部９１０からの制御信号に従って、給水ポンプ１４３０を駆動する。
【０１０９】
図１５は、変更例１に係る、制御部９１０によるシワ伸ばしコースの制御動作を示すフローチャートである。
【０１１０】
シワ伸ばしコースの運転を行う場合、ユーザは、袋体保持部７０に吊り下げられた袋体１０内にシワ伸ばしの対象となるスーツ等の衣類を収容し、オゾン供給装置２０のスチームボタン４５６を押した後にスタートボタン４５２を押す。オゾン供給装置２０から温風を発生させる場合、ユーザは、スタートボタン４５２を押す前に、温風設定ボタン４５７を押して温風設定を行う。
【０１１１】
シワ伸ばしコースの運転が開始されると、制御部９１０は、まず、送風ファン７００を起動させる（Ｓ３０１）。次に、制御部９１０は、温風設定の有無を判定する（Ｓ３０２）。
【０１１２】
温風設定が無い場合（Ｓ３０２：ＮＯ）、制御部９１０は、送風ファン７００を起動させた後、直ちにスチームヒータ１３００を起動させる（Ｓ３０３）。スチーム発生装置１０００から導入ダクト３０内にスチームが供給され、供給されたスチームがオゾン供給装置２０からの、加熱されていない風に載せられて袋体１０内に導入される（図１２（ａ）参照）。導入されたスチームが袋体１０内の衣類に当たり、スチームが有する熱と水分よって衣類に付いたシワが伸ばされる。
【０１１３】
衣類に当てられるスチームが高温である程、衣類のシワを伸ばす効果が高まる。そこで、たとえば、袋体１０の周囲の温度が低いような場合や衣類のシワが強いような場合に、ユーザによって温風設定が行われる。なお、温風設定が行われない場合は、加熱器６２０が起動されないため、シワ伸ばしコースにおける衣類脱臭装置１の消費電力が抑えられる。
【０１１４】
Ｓ３０２で温風設定が有ると判定した場合（Ｓ３０２：ＹＥＳ）、制御部９１０は、送風ファン７００を起動した後、直ちに加熱器６２０を起動する（Ｓ３０４）。これにより、オゾン供給装置２０から袋体１０内に温風が供給され、袋体１０の内部や衣類が温風によって温められる。また、衣類に湿りがある場合、その湿りが除去される。所定の待機時間（たとえば、５分〜１０分程度）が経過し（Ｓ３０５：ＹＥＳ）、袋体１０の内部や衣類が適度に温まった状態となると、制御部９１０は、スチームヒータ１３００を起動させる（Ｓ３０３）。
【０１１５】
スチーム発生装置１０００から導入ダクト３０に供給されたスチームは、オゾン供給装置２０からの温風に載って袋体１０内に導入される。袋体１０の内部や衣類が温まっており、また、スチームが温風に混入されることから、スチームは、その温度が低下しにくく、高温まま衣類に当てられる。これにより、衣類のシワが伸びやすくなる。
【０１１６】
所定のスチーム運転時間（たとえば、１０分）が経過すると（Ｓ３０６：ＹＥＳ）、制御部９１０は、送風ファン７００とスチームヒータ１３００を停止させる（Ｓ３０７）。また、加熱器６２０が動作している場合、制御部９１０は、加熱器６２０も停止させる。こうして、シワ伸ばしコースの運転が終了する。
【０１１７】
なお、本変更例の衣類脱臭装置１において、シワ伸ばしコースの運転に続いて衣類の脱臭を行う脱臭運転を行うこともできる。この場合、スチームボタン４５６と脱臭ボタン４５３とが押された後に、スタートボタン４５２が押される。制御部９１０は、図１５のＳ３０７でスチームヒータ１３００のみを停止させ、続いて、図１０に示すＳ１１５ないしＳ１１７の制御動作を行う。即ち、制御部９１０は、オゾン発生器６１０を起動させて、脱臭コースと同様の脱臭運転を行い、脱臭運転時間が経過すると、送風ファン７００とオゾン発生器６１０を停止させる。
【０１１８】
本変更例によれば、衣類脱臭装置１において、衣類の脱臭のみならず、衣類のシワ伸ばしを行うことができるので、ユーザの利便性が向上する。
【０１１９】
＜その他の変更例＞
上記実施の形態では、衣類が袋体１０に収容される。しかしながら、衣類を収容する収容部は、袋体１０に限られるものでなく、たとえば、樹脂や金属により箱状に形成された収容庫であってもよい。また、収容部は、オゾン供給装置２０をも収容するような収納庫とすることができる。この場合、導入ダクト３０の先端、即ち吹出口が、収納庫内に吊り下げられた衣類に向けられ、導入ダクト３０から上方に吹き出されたオゾンを含む空気や温風が衣類に当てられる。また、オゾン供給装置２０には、収納庫内の空気が導入される。
【０１２０】
また、上記変更例１では、スチーム発生装置１０００が、オゾン供給装置２０の外に設けられた。しかしながら、スチーム発生装置１０００が、オゾン供給装置２０の内部に組み込まれてもよい。
【０１２１】
この他、本発明の実施の形態は、特許請求の範囲に示された技術的思想の範囲内において、適宜、種々の変更が可能である。
【符号の説明】
【０１２２】
１０  袋体（収容部）
１１  投入口
２０  オゾン供給装置（オゾン供給部）
５００  通気ダクト
５１０ａ  湾曲部
５１５  メイン流路（第１流路）
５１６  バイパス流路（第２流路）
５１７  整流板
６１０  オゾン発生器
６２０  加熱器
７００  送風ファン
１０００  スチーム発生装置（スチーム発生部）
【図１】
2018057413.tif 000003
【図２】
2018057413.tif 000004
【図３】
2018057413.tif 000005
【図４】
2018057413.tif 000006
【図５】
2018057413.tif 000007
【図６】
2018057413.tif 000008
【図７】
2018057413.tif 000009
【図８】
2018057413.tif 000010
【図９】
2018057413.tif 000011
【図１０】
2018057413.tif 000012
【図１１】
2018057413.tif 000013
【図１２】
2018057413.tif 000014
【図１３】
2018057413.tif 000015
【図１４】
2018057413.tif 000016
【図１５】
2018057413.tif 000017